【事件の表示】
　特許第２８２８１８９号「パチンコ機の上皿」の特許に対する特許異議の申立てについて、次のとおり決定する。
【結論】
　訂正を認める。
　特許第２８２８１８９号の特許を維持する。
【理由】
Ｉ．本件手続の経緯
　本件特許第２８２８１８９号は、平成５年５月６日に出願された特願平５−１３１０７７号に係り、平成１０年９月１８日にその発明の設定登録がなされ、その後、特許異議の申立てが河井清悦よりなされ、当審において取消理由を通知したところ、その指定期間内である平成１１年１１月１日付けで訂正請求がなされたものである。
ＩＩ　訂正の適否についての判断
１．訂正の内容
　本件訂正の請求の趣旨は、本件特許の明細書を訂正請求書に添付した訂正明細書のとおり訂正することを求めるにあり、その訂正の要旨は、前記訂正請求書の「７．請求の理由」の「（３）訂正の趣旨」の項に記載された次のとおりに訂正しようとするものである。
（１）特許請求の範囲の訂正
ａ．本件特許明細書の特許請求の範囲を、「【請求項１】払い出された賞球を貯留し且つ貯留された賞球を打球として発射位置に１個ずつ供給するパチンコ機の上皿において、
　該上皿は、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けたことを特徴とするパチンコ機の上皿。」と訂正する。
（２）発明の詳細な説明の訂正
ｂ．本件特許明細書の【０００４】の欄を、「【０００４】【課題を解決するための手段】上記した目的を達成するために、本発明においては、払い出された賞球を貯留し且つ貯留された賞球を打球として発射位置に１個ずつ供給するパチンコ機の上皿において、該上皿は、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けたことを特徴とするものである。」と訂正する。
ｃ．本件特許明細書の【０００５】の欄を、「【０００５】【作用】払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けて上皿が構成されるので、通常の上皿を製造する場合には、皿体の整流部の上端外側と枠体の上端内側との空間部に第２装飾体を組み付ければ良く、一方、カード対応上皿を製造する場合には、皿体の整流部の上端外側と枠体の上端内側との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」と訂正する。
ｄ．本件特許明細書の【００２６】の欄を、「【００２６】【発明の効果】以上、説明したところがら明らかなように、本発明においては、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けて上皿が構成されるので、通常の上皿を製造する場合には、皿体の整流部の上端外側と枠体の上端内側との空間部に第２装飾体を組み付ければ良く、一方、カード対応上皿を製造する場合には、皿体の整流部の上端外側と枠体の上端内側との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」と訂正する。
２．訂正の目的の適否、新規事項の有無及び拡張・変更の存否
　上記（１）ａ．の訂正は、特許請求の範囲の減縮を目的とするものに該当する。
　また、上記（２）ｂ．、ｃ．及びｄ．の訂正は、発明の詳細な説明の記載を訂正後の特許請求の範囲の記載と整合させるためのものであるから、上記（２）ｂ．、ｃ．及びｄ．の訂正は明りょうでない記載の釈明を目的とするものに該当する。
　そして、これらの訂正は、訂正前の明細書、又は図面に記載された事項の範囲内において訂正するものであって新規事項を追加するものでなく、かつ、実質上特許請求の範囲を拡張、又は変更するものではない。
３．独立特許要件の判断
（訂正明細書の発明）
　訂正明細書の請求項１に係る発明（以下、「本件発明」という）は、その特許請求の範囲の請求項１に記載された事項により特定される次のとおりのものである。
　「【請求項１】払い出された賞球を貯留し且つ貯留された賞球を打球として発射位置に１個ずつ供給するパチンコ機の上皿において、
　該上皿は、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けたことを特徴とするパチンコ機の上皿。」
（取消理由）
　当審において通知した取消理由は、本件の請求項１に係る発明は、本件出願前に頒布された下記引用刊行物に記載された発明に基いて当業者が容易に発明をすることができたものであるから、特許法第２９条第２項の規定に違反してされたというものである。
　　　　　　　　　　　記
引用刊行物：特開平４−３３６０８７号公報（特許異議申立人提出の甲第１号証）
（引用刊行物に記載の発明）
　上記引用刊行物には、「【請求項１】カードに記憶された有価データの一部を貸し玉へ変換させる際に作動される手段が設けられた変換処理部を有するパチンコ遊技機において、遊技機の前面を構成するパネル部材に上記変換処理部を構成する手段を臨ませるための開口部を形成し、この開口部に合わせて上記変換処理部を構成する手段を着脱可能に装着し、また変換処理部を必要としないパチンコ遊技機にあっては上記開口部に不要時嵌押部材を装着して上記開口部もしくは変換処理部を隠蔽するようにしたことを特徴とするカード式パチンコ遊技機。」（２頁左欄２〜１１行）、「【作用】上記した手段によれば、カード式パチンコ遊技システムにおける貸し玉への変換処理を行なうための変換処理部を有するパチンコ遊技機と該変換処理部を必要としないパチンコ遊技機の２種類を製造する場合にも、変換処理部を必要としないパチンコ遊技機に関しては上記開口部に対応したカバー部材のみ設計、製造すれば良く、供給皿や受け皿全体を別々に設計する必要がないとともに、同一の組立ラインで製造することが可能となり、これによって製造コストを低減させることができる。」（２頁右欄４１〜５０行）、「なお、上記実施例ではカバー部材１３５の下に残高表示器１２２と変換ボタン１２３および返却ボタン１２４を設けるとしたが、カード式でないパチンコ遊技機を製造する場合には組立ラインで残高表示器１２２と変換ボタン１２３および返却ボタン１２４を組み付けるのを省略するようにしてもよいことはいうまでもない。」（４頁右欄１１〜１７行）、「一方、カード式でないパチンコ遊技機にあっては、上記操作基板１３７と同一形状で開口部１２１ａ−１２１ｇを有しないカバー部材１３５が、操作パネル１２１の開口部１２１Ａ内に挿入されてネジ１３７ａによって固定され、開口部１２１Ａを閉塞するようにされている。」（４頁右欄４１〜４６行）、「この第３の実施例では、操作基板１３７またはカバー部材１３５を着脱自在に操作パネル１２１に装着できるようにしている。すなわち、操作基板１３７またはカバー部材１３５の両端にそれぞれ一対の爪状の弾性係合片１３７ｂ，１３５ｂを形成するとともに、操作パネル１２１の開口部１２１Ａの縁には後方に向かって突出し内側に段差部を有する係合部１２１Ｂを形成し、操作基板１３７またはカバー部材１３５を前方より開口部１２１Ａ内に挿入して上記弾性係合片１３７ｂまたは１３５ｂを係合部１２１Ｂの段差部に係合させることによって操作基板１３７またはカバー部材１３５を着脱自在に装着するように構成してある。このように操作基板１３７またはカバー部材１３５が操作パネル１２１に着脱自在に装着されていると、組立作業が効率良く行なえるとともに、カード式パチンコ遊技機にあっては操作基板１３７を外すことによってメインテナンスが容易に行なえかつ故障が生じた場合の部品の交換も容易に行なえるようになる。」（５頁左欄１〜１８行）が記載されている。
　そして、引用刊行物の図４には、払い出された賞球を貯留し且つ貯留された賞球を打球として発射位置に１個ずつ供給するためのパチンコ機の玉供給皿を構成する、払い出された賞球を貯留する貯留部と該貯留部に連続して球を一列に整列して流下させる整流部とが一体的に形成された供給皿１２０が記載され、また図１７には、供給皿１２０と操作パネル１２１との間に空間部が形成され、基板１３１に固定された数値情報を表示する残高表示器１２２と遊技者が操作し得る変換スイッチ１２３ａ及び返却スイッチ１２４ａとがその表面に臨む操作基板１３７を、前記空間部に装着したことが示されている。
　さらに、図１６には、基板１３１に固定された数値情報を表示する残高表示器１２２と遊技者が操作し得る変換スイッチ１２３ａ及び返却スイッチ１２４ａとがその表面に臨む操作基板１３７が、操作パネル１２１の開口部１２１Ａに装着される分解図が示され、図１８には、カバー部材１３５が操作パネル１２１の開口部１２１Ａに装着される分解図が示されている。
　してみると、上記記載からみて引用刊行物には「払い出された賞球を貯留し且つ貯留された賞球を打球として発射位置に１個ずつ供給するパチンコ遊技機の球供給皿において、該球供給皿は、払い出された賞球を貯留する貯留部と該貯留部に連続して球を一列に整列して流下させる整流部とが一体的に形成された供給皿１２０と、該供給皿１２０が止着される操作パネル１２１、とから構成されると共に、前記供給皿１２０の整流部と前記操作パネル１２１との間に形成される空間部に、その表面に数値情報を表示する残高表示器１２２と遊技者が操作し得る変換スイッチ１２３ａ及び返却スイッチ１２４ａとが臨む操作基板１３７、又は該操作基板１３７と同一形状のカバー部材１３５のいずれか一方を組み付けたパチンコ遊技機の球供給皿」が記載されている。
（対比・判断）
　本件発明と上記引用刊行物に記載の発明とを対比すると、引用刊行物に記載の発明は、本件発明を特定する、本件訂正によって限定された事項である「前記皿体の整流部の上端外側と前記枠体の上端内側との間に形成される空間部」の構成を備えていない。
　そして、本件発明は前記構成により明細書記載の効果を奏するものと認められるから、本件発明を、上記引用刊行物に記載の発明に基いて当業者が容易に発明をすることができたものとすることはできない。
　したがって、本件発明は特許出願の際独立して特許を受けることができるものである。
４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項及び同条第３項の規定において準用する同第１２６条第２ないし４項の訂正に関する規定に適合するので、当該訂正を認める。
ＩＩＩ．特許異議の申立てについて
１．特許異議申立理由の概要
　特許異議申立人河井清悦は、下記の証拠方法を提示して、本件の請求項１に係る発明は、甲第１号証、或いは甲第７号又は証甲第８号証に記載された発明であり、特許法第２９条第１項第３号に該当するから、特許を受けることができないものであり、本件特許は取り消されるべきである、と主張している。
　また、上記異議申立人は、本件の請求項１に係る発明は、甲第１号証及び甲第３号証に記載された発明に基いて、又は、甲第１号証及び甲第２号証ないし甲第６号証に記載された発明に基いて当業者が容易に発明をすることができたものであるから、特許法第２９条第２項の規定により特許を受けることができないものであり、本件特許は取り消されるべきである、と主張している。
　　　　　　　　　　　　記
甲第１号証：特開平４−３３６０８７号公報
甲第２号証：実願昭６１−１５６６１０号（実開昭６３−６２１８９号）のマイクロフィルム
甲第３号証：実願昭６０−１６３１８７号（実開昭６２−７０５７５号）のマイクロフィルム
甲第４号証：実願昭５６−４９４０７号（実開昭５７−１６３２７９号）のマイクロフィルム
甲第５号証：特開平５−１５６５９号公報
甲第６号証：特開平５−４９７３５号公報
甲第７号証：「娯楽産業」第３０巻第４号通巻第３４７号（娯楽産業協会、平成５年４月５日発行）、第１３８頁の写し
甲第８号証：「娯楽産業」第３０巻第５号通巻第３４８号（娯楽産業協会、平成５年５月５日発行）、第１５０頁の写し
２．当審の判断
（本件発明）
　本件発明は、上記ＩＩ．３．独立特許要件の判断の項の（訂正明細書の発明）に記載したとおりのものである。
（甲第１号証に記載の発明）
　上記甲第１号証には、上記ＩＩ．３．独立特許要件の判断の項の（引用刊行物に記載の発明）に記載した発明が記載されている。
　しかし、甲第１号証には、本件発明の「前記皿体の整流部の上端外側と前記枠体の上端内側との間に形成される空間部」の構成が記載されてなく、また示唆されてもいない。また、甲第７号証、甲第８号証にも、本件発明の上記「前記皿体の整流部の上端外側と前記枠体の上端内側との間に形成される空間部」の構成が記載も示唆もされていない。
　したがって、本件発明は甲第１号証、或いは甲第７号証又は甲第８号証に記載された発明であるとすることができない。
　また、特許異議申立人が提出した他の甲第２号証乃至甲第６号証にも、本件発明の上記「前記皿体の整流部の上端外側と前記枠体の上端内側との間に形成される空間部」の構成が記載されてなく、また示唆もない。そして、本件発明は前記構成により明細書記載の効果を奏するものと認められるから、本件発明を、甲第１号証乃至甲第８号証に記載された発明に基いて当業者が容易に発明をすることができたもの、とすることもできない。
３．むすび
　以上のとおりであるから、特許異議申立人の申立ての理由及び提出した証拠方法によっては、本件発明の特許を取り消すことができない。また、他に本件発明の特許を取り消すべき理由を発見しない。
　よって、結論のとおり決定する。
【異議決定日】
平成１１年１１月３０日（１９９９．１１．３０）
【訂正の要旨】
訂正の要旨
　▲１▼特許第２８２８１８９号発明の明細書中特許請求の範囲に
「【請求項１】払い出された賞球を貯留し且つ貯留された賞球を打球として発射位置に１個ずつ供給するパチンコ機の上皿において、該上皿は、払い出された賞球を貯留する貯留部と該貯留部に連続して球を一列に整列して流下させる整流部とが一体的に形成された皿体と、該皿体が止着される枠体と、から構成されると共に、前記皿体の整流部と前記枠体との間に形成される空間部に、その表面に数値情報を表示する表示器と遊技者が操作し得る操作スイッチとが臨む第１装飾体、又は該第１装飾体と外形形状が同じであって単なる装飾が施された第２装飾体のいずれか一方を組み付けたことを特徴とするパチンコ機の上皿。」とあるのを、特許請求の範囲の減縮を目的として、
「【請求項１】払い出された賞球を貯留し且つ貯留された賞球を打球として発射位置に１個ずつ供給するパチンコ機の上皿において、該上皿は、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けたことを特徴とするパチンコ機の上皿。」と、訂正する。
　▲２▼特許第２８２８１８９号発明の明細書の段落番号【０００４】（特許掲載公報２頁左欄７〜２０行）に、
「【０００４】【課題を解決するための手段】上記した目的を達成するために、本発明においては、払い出された賞球を貯留し且つ貯留された賞球を打球として発射位置に１個ずつ供給するパチンコ機の上皿において、該上皿は、払い出された賞球を貯留する貯留部と該貯留部に連続して球を一列に整列して流下させる整流部とが一体的に形成された皿体と、該皿体が止着される枠体と、から構成されると共に、前記皿体の整流部と前記枠体との間に形成される空間部に、その表面に数値情報を表示する表示器と遊技者が操作し得る操作スイッチとが臨む第１装飾体、又は該第１装飾体と外形形状が同じであって単なる装飾が施された第２装飾体のいずれか一方を組み付けたことを特徴とするものである。」とあるのを、明りょうでない記載の釈明を目的として、
「【０００４】【課題を解決するための手段】上記した目的を達成するために、本発明においては、払い出された賞球を貯留し且つ貯留された賞球を打球として発射位置に１個ずつ供給するパチンコ機の上皿において、該上皿は、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けたことを特徴とするものである。」と、訂正する。
　▲３▼特許第２８２８１８９号発明の明細書の段落番号【０００５】（特許掲載公報２頁左欄２１〜３９行）に、
「【０００５】【作用】払い出された賞球を貯留する貯留部と該貯留部に連続して球を一列に整列して流下させる整流部とが一体的に形成された皿体と、該皿体が止着される枠体と、から構成されると共に、前記皿体の整流部と前記枠体との間に形成される空間部に、その表面に数値情報を表示する表示器と遊技者が操作し得る操作スイッチとが臨む第１装飾体、又は該第１装飾体と外形形状が同じであって単なる装飾が施された第２装飾体のいずれか一方を組み付けて上皿が構成されるので、通常の上皿を製造する場合には、皿体の整流部と枠体との空間部に第２装飾体を組み付ければ良く、一方、カード対応上皿を製造する場合には、皿体の整流部と枠体との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」とあるのを、明りょうでない記載の釈明を目的として、
「【０００５】【作用】払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けて上皿が構成されるので、通常の上皿を製造する場合には、皿体の整流部の上端外側と枠体の上端内側との空間部に第２装飾体を組み付ければ良く、一方、カード対応上皿を製造する場合には、皿体の整流部の上端外側と枠体の上端内側との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」と、訂正する。
　▲４▼特許第２８２８１８９号発明の明細書の段落番号【００２６】（特許掲載公報５頁右欄４５行〜６頁左欄１４行）に、
「【００２６】【発明の効果】以上、説明したところから明らかなように、本発明においては、払い出された賞球を貯留する貯留部と該貯留部に連続して球を一列に整列して流下させる整流部とが一体的に形成された皿体と、該皿体が止着される枠体と、から構成されると共に、前記皿体の整流部と前記枠体との間に形成される空間部に、その表面に数値情報を表示する表示器と遊技者が操作し得る操作スイッチとが臨む第１装飾体、又は該第１装飾体と外形形状が同じであって単なる装飾が施された第２装飾体のいずれか一方を組み付けて上皿が構成されるので、通常の上皿を製造する場合には、皿体の整流部と枠体との空間部に第２装飾体を組み付ければ良く、一方、カード対応上皿を製造する場合には、皿体の整流部と枠体との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」とあるのを、明りょうでない記載の釈明を目的として、
「【００２６】【発明の効果】以上、説明したところから明らかなように、本発明においては、払い出された賞球を貯留する貯留部と該貯留部に連続して球を一列に整列して流下させるべく内側に湾曲した整流部とが一体的に形成された皿体と、該皿体が止着され且つ皿体を覆う枠体と、から構成されると共に、前記皿体の整流部の上端外側と前記枠体の上端内側との間に形成される空間部に、その表面に数値情報を表示する表示器と遊技者が操作し得る操作スイッチとが臨む第１装飾体と、外形形状が該第１装飾体と同じであって単なる装飾が施された第２装飾体と、のいずれか一方を組み付けて上皿が構成されるので、通常の上皿を製造する場合には、皿体の整流部の上端外側と枠体の上端内側との空間部に第２装飾体を組み付ければ良く、一方、カード対応上皿を製造する場合には、皿体の整流部の上端外側と枠体の上端内側との空間部に第１装飾体を組み付ければ良い。即ち、本発明においては、通常の上皿とカード対応上皿とで異なる部分は、装飾体だけであり、皿体と枠体とを共通部品化することができるので、上皿の製造コストを下げることができると共に通常の上皿とカード対応上皿とに容易に対応することができる。」と、訂正する。
（５４）【発明の名称】
パチンコ機の上皿
（５７）【特許請求の範囲】
　【請求項１】　払い出された賞球を貯留し且つ貯留された賞球を打球として発射位置に１個ずつ供給するパチンコ機の上皿において、
　該上皿は、払い出された賞球を貯留する貯留部と該貯留部に連続して球を一列に整列して流下させる
べく内側に湾曲した
且つ皿体を覆う
　前記皿体の整流部
の上端外側
の上端内側
外形形状が該第１装飾体と
と、
【発明の詳細な説明】
　　　【０００１】
　　【産業上の利用分野】
　本発明は、払い出された賞球を貯留し且つ貯留された賞球を打球として発射位置に１個ずつ供給するパチンコ機の上皿に関するものである。
　　　【０００２】
　　【従来の技術】
　従来、パチンコ機の上皿においては、払い出された賞球を貯留し且つ貯留された賞球を打球として発射位置に１個ずつ供給する機能を有するだけであったが、近年、カード対応パチンコ機の出現に伴って、上記機能に加えて上皿にカードの残額を表示する表示器や玉貸要求信号を導出するための操作スイッチ等を設けたものも提供されるようになってきた。
　　　【０００３】
　　【発明が解決しようとする課題】
　しかして、従来においては、通常の上皿とカード対応上皿とは、全く別の金型によって成型されているため、上皿の製造コストが高いという欠点があった。本発明は、上記した事情に鑑みなされたもので、その目的とするところは、通常の上皿とカード対応上皿とのいずれにも安価で且つ容易に対応することができるパチンコ機の上皿を提供することにある。
　　　【０００４】
　　【課題を解決するための手段】
　上記した目的を達成するために、本発明においては、
　払い出された賞球を貯留し且つ貯留された賞球を打球として発射位置に１個ずつ供給するパチンコ機の上皿において、
　該上皿は、払い出された賞球を貯留する貯留部と該貯留部に連続して球を一列に整列して流下させる
べく内側に湾曲した
且つ皿体を覆う
　前記皿体の整流部
の上端外側
の上端内側
と、外形形状が該第１装飾体と
と、
　　　【０００５】
　　【作用】
　払い出された賞球を貯留する貯留部と該貯留部に連続して球を一列に整列して流下させる
べく内側に湾曲した
且つ皿体を覆う
の上端外側
の上端内側
と、外形形状が該第１装飾体と
と、
の上端外側
の上端内側
の上端外側
の上端内側
　　　【０００６】
　　【実施例】
　以下、図面を参照して本発明の実施例について説明する。まず、実施例に係るパチンコ機１の全体の構成について図５及び図６を参照して説明する。図５は、パチンコ機１の正面図であり、図６は、パチンコ機１の背面図である。図において、パチンコ機１の額縁状に形成された前面枠２は、周知のように外枠３に開閉自在に設けられると共に、その額縁状の開口には、金枠４が周設され、該金枠４にガラス扉枠５と前面板６とが開閉自在に設けられている。ガラス扉枠５の背面には、遊技盤１１が配置され、前面板６の表面には、後述する賞球払出装置３０から排出される賞球又は貸し球が貯留される上皿７が固着されている。この上皿７は、本実施例の要部を構成するものであり、図示の上皿７は、カード対応上皿が表示され、後述するカード装置１２に関連する返却スイッチボタン７７、玉貸スイッチボタン７８、数値表示器９０（図１参照）の表示部７４が表面に臨んでいる。また、上皿７には、効果音を発生するスピーカ８も設けられている。上皿７の構造については、後に詳述する。更に、前面枠２の下部には、打球の発射勢を調節する操作ハンドル９と前記上皿７から溢れた賞球を貯留する下皿１０が設けられている。
　　　【０００７】
　また、図示のパチンコ機１の一側部には、カード装置１２が隣接されている。このカード装置１２は、カード投入口１３を有し、予め金額情報が記録されたプリペイドカードをカード投入口１３に差し込むことにより、カードに記録された残高が上皿７に設けられる数値表示器９０に表示される。そして、その残高があることを前提として、遊技者が玉貸スイッチボタン７８を操作することにより、賞球払出装置３０から所定個数の貸し球が上皿７に払い出される。上記したような制御が行われるために、カード装置１２の背面には、図６に示すように、パチンコ機１に設けられる後述するカード装置中継基板３６と接続するためのパチンコ機接続コネクタ１４と、貸玉に係る売り上げ等を管理するカードシステム装置と接続するためのカードシステム接続コネクタ１５と、電源線が接続される電源コネクタ１６とが設けられている。なお、カード対応型でないパチンコ機の場合には、カード装置１２の代わりに通常の台間玉貸機がパチンコ機に隣接して配置される。
　　　【０００８】
　ところで、パチンコ機１の背面には、機構板２０が開閉自在に設けられている。この機構板２０には、周知のように発生した入賞球を処理して所定個数の賞球を払い出すための各種の機構が設けられるものである。そこで、以下、機構板２０の構成について図６を参照して説明する。図において、機構板２０の中央には、ほぼ正方形状の中央開口２１が開設され、遊技盤１１の裏面に入賞球集合カバーを介して取り付けられる遊技制御回路基板ボックス２２とセンター役物保護カバー２３とが前記中央開口２１から後方に突出する。遊技制御回路基板ボックス２２の内部には、遊技盤に設けられる入賞装置や図柄表示装置等の遊技動作を制御する遊技制御回路基板が収納され、また、センター役物保護カバー２３は、遊技盤１１のほぼ中央に設けられるセンター役物の後方突出部が覆われるものである。
　　　【０００９】
　ところで、機構板２０の前面側下部には、発生した入賞球を集合して一側に誘導する入賞球集合樋２４が形成され、該入賞球集合樋２４の末端に入賞球検出スイッチ２５と入賞球排出ソレノイド２６によって動作される玉切り揺動片２６ａが設けられている。より詳細に説明すると、入賞球集合樋２４の末端に到着した入賞球は、玉切り揺動片２６ａの前端頭部に当接して停止される。そして、その停止した状態の入賞球が入賞球検出スイッチ２５によって検出され、その検出信号に基づいて後述する賞球払出装置３０が駆動される。賞球払出装置３０により所定個数の賞球が払い出されたことに基づいて導出される払出終了信号があったときには、入賞球排出ソレノイド２６が所定時間ＯＮされて玉切り揺動片２６ａを揺動させるので、前端頭部で停止されていた玉が玉切り揺動片２６ａの凹部に受け入れられ、所定時間経過後にＯＦＦとなったときに凹部に受け入れた入賞球を下流側に排出する。以下、上記した動作を繰り返すことにより、次の入賞球に対する賞球の払出動作が行われる。なお、入賞球の種類毎に払出賞球数が異なる場合には、賞球数の少ない入賞球に対応する記憶値があれば、それを優先的に払い出すようになっている。
　　　【００１０】
　また、機構板２０の背面側には、その上部に賞球を貯留する賞球タンク２７が設けられ、該賞球タンク２７の下方に貯留された賞球を複数列（２列）整列して機構板２０の一側に導く賞球レール２８が設けられている。賞球レール２８の下流側には、ヘアピン状に屈曲したカーブレール２９が接続されている。このカーブレール２９の末端には、賞球払出装置３０が接続されるが、この賞球払出装置３０は、垂直状に形成される２条の賞球通路に臨むスクリュー状のローラー３１と、該ローラー３１を回転せしめる払出モータ３２と、ローラー３１によって払い出された賞球を検出する払出カウントスイッチ３３と、ローラー３１の回転位置を検出する位置センサー（図示しない）と、から構成されている。
　　　【００１１】
　賞球払出装置３０は、入賞球に基づく賞球、及びカード装置１２からの貸出要求に基づく貸し球を払い出すものであるが、これを順次説明すると、入賞球検出スイッチ２５によって入賞球が検出されたときには、各入賞検出（例えば、５個払出、１０個払出、１５個払出）の状態を調べ、払出個数を設定し、払出モータ３２を駆動する。すると、ローラー３１の両側から交互に賞球が払い出され、払出個数に対応する払出モータ３２の回転を位置センサで検出し且つ払出個数に対応する賞球を払出カウントスイッチ３３が確認したときには、払出モータ３２の回転駆動が停止される。次に、カード装置１２にカードが挿入されて残高があるという前提において、玉貸スイッチボタン７８が操作されたときには、払出個数（例えば、２５個）が設定され、払出モータ３２を駆動する。すると、ローラー３１の両側から交互に貸し球が払い出され、払出個数に対応する払出モータ３２の回転を位置センサで検出し且つ払出個数に対応する貸し球を払出カウントスイッチ３３が確認したときには、払出モータ３２の回転駆動が停止される。
　　　【００１２】
　上記した賞球払出装置３０によって払い出された賞球又は貸し球は、賞球排出通路３４の途中に形成される上皿連通口３５を通って前記上皿７に誘導され、該上皿７が満杯となったときに上皿連通口３５の側方から溢れた賞球が下流側の賞球排出通路３４によって下皿１０に誘導されるようになっている。この賞球排出通路３４の背面であって前記入賞球検出スイッチ２５の上方には、カード装置１２とパチンコ機１とを接続するためのカード装置中継基板３６が設けられている。また、下皿１０の後方に対応する賞球排出通路３４の側壁には、賞球が満杯となったことを検出するオーバーフロー検出スイッチ３７が設けられ、これの作動により賞球払出装置３０及び打球発射装置３８の動作が不能動化される。更に、前記前面枠２の裏面下部には、打球モータ３９を有する打球発射装置３８が固着されている。
　　　【００１３】
　ところで、前記前面板６に取り付けられる上皿７の構成について図１乃至図４を参照してより詳細に説明する。図１は、上皿７を構成する枠体６０と第１装飾体７０又は第２装飾体１００との関係を示す斜視図であり、図２は、第１装飾体７０の分解斜視図であり、図３は、枠体６０と皿体５０との関係を示す斜視図であり、図４は、上皿７と前面板６との関係を示す斜視図である。まず、図４を参照して前面板６について説明すると、前面板６の表面には、装飾板４０が装着されている。装飾板４０には、上皿７の後端面が当接する当接凹部４１が形成されると共に、該当接凹部４１内の一側上部に前記上皿連通口３５と連通して賞球が排出される賞球排出口４２が形成され、該賞球排出口４２の下方にスピーカ８が臨むスピーカ取付穴４３が形成されている。また、スピーカ取付穴４３の側方には、後述するスイッチ用レバー６２に対応する位置にスイッチ取付穴４４も形成されている。更に、当接凹部４１の他側下部から中央にかけて玉抜き通路４５が装飾板４０と一体的に形成され、その玉抜き通路４５の始端部のやや上方に供給穴４６が形成されている。玉抜き通路４５は、後述する玉抜きレバー６３が操作されたときに上皿７に貯留されていた球を下皿１０に誘導するための通路であり、供給穴４６は、上皿７に貯留されている球を図示しない発射位置に供給するための穴である。
　　　【００１４】
　次に、上皿７の本体の構成について説明すると、図３に示すように、上皿７は、主として皿体５０と枠体６０と装飾体７０（１００）とから構成されている。まず、皿体５０について説明すると、図３に示すように、皿体５０は、払い出された賞球等を貯留する貯留部５１と該貯留部５１に連続して球を一列に整列して流下させる整流部５２とが合成樹脂によって一体的に成形され、整流部５２側においては、内側に湾曲している。また、整流部５２の底面には、球の流れをスムーズにするための金属板５３が装着され、該金属板５３の下流端側に玉抜き穴５４が形成されている。この玉抜き穴５４は、通常の状態において整流部５２の底面裏側をスライド自在に設けられる開閉弁５５によって閉塞されており、該開閉弁５５が枠体６０側に設けられる玉抜きレバー６３の操作により移動されたときに、玉抜き穴５４が開放されて皿体５０に貯留されていた球を前記玉抜き通路４５を介して下皿１０に移動せしめるものである。また、貯留部５１側の裏面に配線通し部材５６が垂下され、装飾体が第１装飾体７０であるときに存在する配線９４が引き通されるものである。更に、皿体５０の貯留部５１の上端外側には、係合溝５０ａが形成され、皿体５０を枠体６０に装着したときに枠体６０の係合突部６０ａと係合して相互の位置関係を正確に保持するものである。
　　　【００１５】
　上記した構成を有する皿体５０が組み付けられる枠体６０は、皿体５０の前面から下部にわたって覆うように合成樹脂によって構成され、貯留部５１の下方に対応する位置には、図１に示すように、スピーカ８の音声を外部に漏れるようにする透孔６１と、遊技者の前方からの操作によって揺動するスイッチ用レバー６２とが設けられている。このスイッチ用レバー６２は、前記スイッチ取付穴４４に取り付けられるスイッチ（例えば、遊技盤１１に設けられる図柄表示装置の変動停止スイッチ）を作動させる場合に使用されるが、遊技内容によっては、スイッチ取付穴４４にスイッチが取り付けられないので、単なる装飾部材となるものである。一方、皿体５０の整流部５２の外側と枠体６０の内側との間には、空間部６５が形成されるが、この空間部６５には、第１装飾体７０又は第２装飾体１００のいすれか一方が取り付けられるようになっている。
　　　【００１６】
　そして、空間部６５には、該空間部６５を上下に仕切る支持台６６が設けられ、該支持台６６の上部に装飾体７０又は１００を取り付けるための一対の取付ボス６７が突設されている。また、支持台６６の下部には、玉抜きレバー６３（図５参照）をスプリング６４で付勢支持するための構造物が形成されている。玉抜きレバー６３は、前記開閉弁５５と係合するようになっている。しかして、玉抜きレバー６３をスプリング６４の付勢力に抗して移動させると開閉弁５５が玉抜き穴５４を開放するので、前記したように皿体５０に貯留されていた球を前記玉抜き通路４５を介して下皿１０に移動せしめるものである。なお、貯留部５１に対応する枠体６０の上端縁には、皿体５０の前記係合溝５０ａに係合する係合突部６０ａが形成されている。
　　　【００１７】
　ところで、上記した皿体５０の整流部５２と枠体６０との間に形成される空間部６５に配置される第１装飾体７０又は第２装飾体１００は、その外形形状が同じように形成される。そこで、図２を参照して、第１装飾体７０の構成について説明する。この第１装飾体７０は、上皿７がカード対応上皿であるときに装着されるもので、着色透明部材７１と、その上面に載置される透明部材７２と、着色透明部材７１の裏面に取り付けられる基板８９とから構成されている。着色透明部材７１は、その上面形状が前記空間部６５の平面形状と全く同じとなるように形成されると共に、上面の一側端縁から垂直壁が垂下され、その垂直壁の下端辺が前記支持台６６に当接するようになっている。
　　　【００１８】
　また、透明部材７２は、肉厚の合成樹脂によって着色透明部材７１の上面形状と同じ形状に形成されると共に、所定間隔をおいて２つの三角形状のスイッチ取付穴７５が凹設されている。そして、該スイッチ取付穴７５を除く透明部材７２の裏面全域には、シール７３が貼付されている。このシール７３は、内部を透視し得ないように不透明なシートに図柄や模様等が描かれているが、前記スイッチ取付穴７５の間であって後述する数値表示器９０に対応する部分は、透視し得るように透明な表示部７４となっており、また、後述する玉貸可表示ランプ９３に対応する部分は、透明部分と不透明部分とが斑点状に形成されるランプ表示部７３ａとなっている。なお、透明部材７２の両端部側には、第１装飾体７０を空間部６５の前記取付ボス６７に図示しないビスで螺着するための取付穴７６も穿設されている。
　　　【００１９】
　また、前記スイッチ取付穴７５には、返却スイッチボタン７７と玉貸スイッチボタン７８とが表面側に突出しないように収納されるが、各スイッチ取付穴７５の底面には、各スイッチボタン７７、７８のボス部が貫通する貫通穴７５ａが形成され、更に、スイッチボタン７７、７８のボス部は、着色透明部材７１に形成された貫通穴８３、及び着色透明部材７１の裏面に止着されるスイッチ取付部材７９の貫通穴８４を貫通しており、その貫通したボス部の底面にワッシャ８５がビス８６によって止着される。また、スイッチボタン７７、７８のボス部には、コイルバネ７７ａ，７８ａが周設されている。したがって、スイッチボタン７７、７８は、そのボス部が各貫通穴７５ａ，８３，８４を上下方向に摺動可能に貫通しているが、常には、コイルバネ７７ａ，７８ａによって上方に付勢された状態でワッシャ８５が下部の貫通穴８４に当接した状態となっている。そして、このようにスイッチボタン７７、７８のボス部をワッシャ８５で止着することにより着色透明部材７１と透明部材７２とが分離できないように連結される。なお、スイッチ取付部材７９は、貫通穴８４の側方に形成された止着穴８２を着色透明部材７１に形成された取付穴８１に一致させて上方からビス８０で螺着することにより着色透明部材７１に止着されるようになっている。
　　　【００２０】
　一方、着色透明部材７１の裏面に取り付けられる基板８９には、その中央に複数の７セグメントＬＥＤからなる数値表示器９０が設けられ、該数値表示器９０の左右に返却スイッチ９１と玉貸スイッチ９２とが設けられ、更に、玉貸スイッチ９２の側方に玉貸可表示ランプ９３（ＬＥＤ）が設けられている。また、基板８９の裏面には、配線９４が接続されている。数値表示器９０は、カード装置１２に投入されたプリペイドカードに記録された残高を表示するものであり、返却スイッチ９１は、カード装置１２に投入されたプリペイドカードを引き出すときに操作するものであり、玉貸スイッチ９２は、残高があることを前提として所定個数の貸し球を借り受ける場合に操作するものであり、更に、玉貸可表示ランプ９３は、カード装置１２及び賞球払出装置３０における玉貸動作の準備が整っていることを表示するものである。
　　　【００２１】
　上記のように構成される基板８９は、その左右端部に形成される取付穴９６を着色透明部材７１の裏面に突設される取付ボス９５に位置合わせして図示しないビスで螺着することにより、透明着色部材７１に取り付けられ、その取り付けられた状態で数値表示器９０が透明部材７２の表示部７４に対応した位置となり、スイッチ９１、９２が対応するスイッチボタン７７、７８のボス部の底面に止着されるビス８６と対応した位置となり、玉貸可表示ランプ９３が着色透明部材７１に穿設されたランプ穴８８にその頭部分を挿入し且つ透明部材７２のランプ表示部７３ａに対応した位置となる。
　　　【００２２】
　しかして、着色透明部材７１と透明部材７２と基板８９とが一体化された第１装飾体７０を枠体６０に取り付けるには、着色透明部材７１の両端部に形成される貫通穴８７に枠体６０の支持台６６に突設される取付ボス６７を貫通させ、透明部材７２の取付穴７６に嵌入し、その後、上方から図示しないビスで螺着することにより第１装飾体７０を枠体６０に取り付けることができる。なお、皿体５０と第１装飾体７０との枠体６０への取付順序は、いずれが先であっても良いが、前記係合溝５０ａと係合突部６０ａとの関係のように３つの部材相互間で係合関係があるように構成される場合には、枠体６０に第１装飾体７０を止着した後、皿体５０を最後に止着して上皿７を組み付け構成し、その後、前面板６に上皿７を止着する形態が多くなるものと考えられる。
　　　【００２３】
　上記に説明した上皿７は、カード対応上皿に相当する第１装飾体７０を組み付け構成したものであるが、カード対応上皿ではなく、通常の上皿を組み付け構成するには、第１装飾体７０に代えて第２装飾体１００を組み付ければ良い。ここで、第２装飾体１００の構成について図１を参照して簡単に説明すると、第２装飾体１００は、第１装飾体７０の着色透明部材７１と全く同じ着色透明部材７１の上部に第１装飾体７０の透明部材７２と外形形状が全く同じ透明部材１０１を重ね合わせることにより構成されている。透明部材１０１には、第１装飾体７０のようにスイッチ取付穴７５のような凹部が形成されているわけではないが、裏面にシール１０２が貼付され、両端部に枠体６０の取付ボス６７に止着するための取付穴１０３が形成されている。シール１０２は、その前面に図柄や模様等が描かれている。即ち、第１装飾体７０と第２装飾体１００とで完全に異なる部材は、透明部材７２，１０１だけであり、着色透明部材７１は、共通して使用することができる。もちろん、第２装飾体１００の着色透明部材７１には、数値表示器９０やスイッチ９１、９２を有する基板８９を取り付ける必要がないことは、言うまでもない。
　　　【００２４】
　しかして、本実施例においては、払い出された賞球を貯留する貯留部５１と該貯留部５１に連続して球を一列に整列して流下させる整流部５２とが一体的に形成された皿体５０と、該皿体５０が止着され且つ皿体５０の前面から下部にわたって覆う枠体６０と、から構成されると共に、皿体５０の整流部５２と枠体６０との間に形成される空間部６５に、その表面に数値情報を表示する数値表示器９０と遊技者が操作し得る返却スイッチボタン７７及び玉貸スイッチボタン７８とが臨む第１装飾体７０、又は該第１装飾体７０と外形形状が同じであって単なる装飾が施された第２装飾体１００のいすれか一方を組み付けて上皿７が構成されるので、通常の上皿を製造する場合には、皿体５０の整流部５２と枠体６０との空間部６５に第２装飾体１００を組み付ければ良く、一方、カード対応上皿を製造する場合には、皿体５０の整流部５２と枠体６０との空間部６５に第１装飾体７０を組み付ければ良い。即ち、本実施例においては、通常の上皿とカード対応上皿とで異なる部分は、装飾体のうちの透明部材７２，１０１だけであり、皿体５０と枠体６０と装飾体の着色透明部材７１とを共通部品化することができるので、上皿７の製造コストを下げることができると共に通常の上皿とカード対応上皿とに容易に対応することができる。また、このように通常の上皿とカード対応上皿との対応が容易であるため、遊技場において通常の上皿をカード対応上皿に変換する作業、又はカード対応上皿を通常の上皿に変換する作業も極めて簡単に行うことができる。
　　　【００２５】
　なお、上記した実施例では、装飾体７０、１００を枠体６０の支持台６６に垂直状に立設した取付ボス６７に装飾体７０、１００の上方からビスで螺着することにより取り付ける構造のものを示したが、外部からビスが視認できないように、例えば、まず、透明部材７２、１０１を着色透明部材７１の裏面からビスで止着し、その後、着色透明部材７１を枠体６０又は皿体５０に適宜の止着手段によって組み付け、最後に枠体６０と皿体５０とを組み付けて上皿７を構成するようにしても良い。また、枠体６０が皿体５０の前面から下部にわたって覆うものを示したが、皿体５０が枠体６０に止着される構造であれば、必ずしも枠体６０が皿体５０の前面から下部にわたって覆う必要はない。
　　　【００２６】
　　【発明の効果】
　以上、説明したところから明らかなように、本発明においては、払い出された賞球を貯留する貯留部と該貯留部に連続して球を一列に整列して流下させる
べく内側に湾曲した
且つ皿体を覆う
の上端外側
の上端内側
と、外形形状が該第１装飾体と
と、
の上端外側
の上端内側
の上端外側
の上端内側
【図面の簡単な説明】
　　　【図１】
　上皿を構成する枠体と第１装飾体又は第２装飾体との関係を示す斜視図である。
　　　【図２】
　第１装飾体の分解斜視図である。
　　　【図３】
　枠体と皿体との関係を示す斜視図である。
　　　【図４】
　上皿と前面板との関係を示す斜視図である。
　　　【図５】
　実施例に係るパチンコ機の正面図である。
　　　【図６】
　パチンコ機の背面図である。
　　　【符号の説明】
　１　パチンコ機
　６　前面板
　７　上皿
　１２　カード装置
　５０　皿体
　５１　貯留部
　５２　整流部
　６０　枠体
　６５　空間部
　６６　支持台
　６７　取付ボス
　７０　第１装飾体
　７１　着色透明部材
　７２　透明部材
　７３　シール
　７４　表示部
　７５　スイッチ取付穴
　７６　取付穴
　７７　返却スイッチボタン
　７８　玉貸スイッチボタン
　８９　基板
　９０　数値表示器
　９１　返却スイッチ
　９２　玉貸スイッチ
　１００　第２装飾体
　１０１　透明部材
　１０２　シール
　１０３　取付穴